(57)【要約】【課題】飛沫や異音の発生を抑制することができる小便器用スプレッダーを提供する。【解決手段】小便器用スプレッダーは、洗浄水が流入する流入口１１、この流入口１１から流入した洗浄水を小便器１の便鉢面２に向けて流出させる吐水口１２、及び流入口１１と吐水口１２とを連通した導水路１３を備えている。小便器用スプレッダーは、流入口１１から導水路１３に流入した洗浄水が衝突して吐水口方向とは違う方向に流れるように導水路１３に設けた障壁部１８を備えている。【選択図】図１
2015071901.tif 000002
【特許請求の範囲】
【請求項１】
洗浄水が流入する流入口、この流入口から流入した洗浄水を小便器の便鉢面に向けて流出させる吐水口、及び前記流入口と前記吐水口とを連通した導水路を備えている小便器用スプレッダーであって、
前記流入口から前記導水路に流入した洗浄水が衝突して前記吐水口方向とは違う方向に流れるように前記導水路に設けた障壁部を備えていることを特徴とする小便器用スプレッダー。
【請求項２】
前記障壁部は前記導水路の内壁面から流路方向に対向するように立ち上がっていることを特徴とする請求項１記載の小便器用スプレッダー。
【請求項３】
使用状態に配置した前記小便器に取り付けられた状態において、前記障壁部が一部を構成し、前記導水路に流入した洗浄水を貯留する上方が開口した貯留部を備えていることを特徴とする請求項１又は２記載の小便器用スプレッダー。
【発明の詳細な説明】
【技術分野】
【０００１】
本発明は小便器用スプレッダーに関するものである。
【背景技術】
【０００２】
特許文献１は従来の小便器用スプレッダーを開示している。この小便器用スプレッダーは、洗浄水が流入する流入口、この流入口から流入した洗浄水を小便器の便鉢面に向けて流出させる吐水口、及び流入口と吐水口とを連通した導水路を備えている。また、この小便器用スプレッダーは導水路内に吐水口の両端部に洗浄水を案内する突状のガイドを設けている。このため、この小便器用スプレッダーは、吐水口の両端部からも洗浄水を流出させ、便鉢面の広い範囲を洗浄することができる。
【先行技術文献】
【特許文献】
【０００３】
【特許文献１】特許第４３０４４７５号公報
【発明の概要】
【発明が解決しようとする課題】
【０００４】
しかし、特許文献１の小便器用スプレッダーは洗浄開始時に吐水口から洗浄水が勢いよく流出する。この際、吐水口から流出する洗浄水は導水路内及び導水路より上流側の給水路内の空気を巻き込んでいるため、飛沫や異音が発生するおそれがある。
【０００５】
本発明は、上記従来の実情に鑑みてなされたものであって、飛沫や異音の発生を抑制することができる小便器用スプレッダーを提供することを解決すべき課題としている。
【課題を解決するための手段】
【０００６】
本発明の小便器用スプレッダーは、洗浄水が流入する流入口、この流入口から流入した洗浄水を小便器の便鉢面に向けて流出させる吐水口、及び前記流入口と前記吐水口とを連通した導水路を備えている小便器用スプレッダーであって、
前記流入口から前記導水路に流入した洗浄水が衝突して前記吐水口方向とは違う方向に流れるように前記導水路に設けた障壁部を備えていることを特徴とする。
【０００７】
この小便器用スプレッダーは、流入口から導水路内に流入した洗浄水が障壁部に衝突して吐水口方向とは違う方向に流れることによって、吐水口から流出する洗浄水の勢いを弱めることができる。このため、この小便器用スプレッダーは吐水口から流出する洗浄水の空気の巻き込みを抑制することができる。
【０００８】
したがって、本発明の小便器用スプレッダーは飛沫や異音の発生を抑制することができる。
【図面の簡単な説明】
【０００９】
【図１】実施例１の小便器用スプレッダーを小便器に取り付けた状態を示す断面図である。
【図２】実施例１の小便器用スプレッダーを示す斜視図である。
【図３】実施例１の小便器用スプレッダーを示す断面図である。
【図４】実施例２の小便器用スプレッダーを示す斜視図である。
【図５】実施例２の小便器用スプレッダーを示す断面図である。
【図６】実施例３の小便器用スプレッダーを示す斜視図である。
【図７】実施例３の小便器用スプレッダーを示す断面図である。
【図８】実施例４の小便器用スプレッダーを示す断面図である。
【図９】実施例４の小便器用スプレッダーを示す底面図である。
【発明を実施するための形態】
【００１０】
本発明における好ましい実施の形態を説明する。
【００１１】
本発明の小便器用スプレッダーにおいて、前記障壁部は前記導水路の内壁面から流路方向に対向するように立ち上がり得る。この場合、洗浄水が障壁部に衝突して確実に吐水口方向とは違う方向に流れる。このため、吐水口から流出する洗浄水の勢いを弱めることができる。
【００１２】
本発明の小便器用スプレッダーは、使用状態に配置した前記小便器に取り付けられた状態において、前記障壁部が一部を構成し、前記導水路に流入した洗浄水を貯留する上方が開口した貯留部を備え得る。この場合、洗浄を終了した後、導水路に流入した洗浄水が貯留部に貯留される。このため、洗浄を終了した後に吐水口から小便器内に垂れ落ちる洗浄水の水量を少なくし、水切れを良好にすることができる。
【００１３】
次に、本発明の小便器用スプレッダーを具体化した実施例１〜４について、図面を参照しつつ説明する。
【００１４】
＜実施例１＞
実施例１の小便器用スプレッダーは、図１〜図３に示すように、小便器１の便鉢面２の上部に取り付けられる。この小便器用スプレッダーは、流入口１１、吐水口１２、及び導水路１３を備えている。流入口１１は、上流側の給水管３の下流端部が挿入され、洗浄水が流入する。吐水口１２は小便器１の便鉢面２に向けて洗浄水を流出する。導水路１３は流入口１１と吐水口１２とを連通している。導水路１３は流入口１１に連続した流入管部１４が上流側を構成している。また、導水路１３は、流入管部１４の下流端部に連続し、吐水口１２を有した吐水本体部１５が下流側を構成している。
【００１５】
流入管部１４は略円筒状である。流入管部１４は上流側の端部から中間位置までの外周面に螺子山１４Ａが刻まれている。流入管部１４は使用状態に設置した小便器１の上下方向に貫通した取付孔４に挿通してナット５で締め付け固定される。このようにして、この小便器用スプレッダーは便鉢面２の上部に取り付けられる。
【００１６】
吐水本体部１５は、流入管部１４の流入口１１とは反対側から流入管部１４の中心軸方向を見た外形状が、各角部が円弧状である略二等辺三角形状に形成されている。吐水本体部１５を構成する周壁部は、流入管部１４の下流端部に連続した側壁部１６と、側壁部１６に取り付けられたカバー部材１７とによって形成さている。側壁部１６は、流入管部１４の下流端部に連続した平板状の天板部１６Ａと、この天板部１６Ａに連続して、略二等辺三角形状の底辺に相当する部分に向けて徐々に流入管部１４とは反対方向に湾曲した垂下部１６Ｂとを有している。側壁部１６の垂下部１６Ｂは使用状態に設置した小便器１の上下方向に延びた便鉢面２に面している。流入管部１４は吐水本体部１５の略二等辺三角形の頂角に相当する部分に近い側壁部１６の天板部１６Ａに連結している。
【００１７】
カバー部材１７は外形状が側壁部１６の外形状に略等しい略二等辺三角形状である。カバー部材１７の略二等辺三角形状の頂角に相当する部分から延びた２本の等辺に相当する縁部が、側壁部１６の略二等辺三角形状の頂角に相当する部分から延びた２本の等辺に相当する縁部に水密状に連結されている。カバー部材１７は側壁部１６との間で導水路１３を形成するように湾曲状に膨らんでいる。つまり、カバー部材１７は側壁部１６と共に導水路１３の下流側を構成している。吐水本体部１５は、カバー部材１７の略二等辺三角形状の底辺に相当する部分の縁部と、側壁部１６の略二等辺三角形状の底辺に相当する部分に設けられた縁部との間に等しい間隔を有するスリット状の開口を形成している。この開口が吐水口１２を構成している。
【００１８】
カバー部材１７は略二等辺三角形状の底辺に相当する部分の縁部に沿って上方に突出した障壁部１８を有している。障壁部１８はカバー部材１７の内面に密接して固定されている。障壁部１８は、上流側に位置し、カバー部材１７の内面に対して略直角に立ち上がった上流側面１８Ａを有している。つまり、障壁部１８は、導水路１３の内壁面から流路方向に対向するように立ち上がっている。また、障壁部１８は、上流側面１８Ａの上端から連続し、側壁部１６の天板部１６Ａ及び垂下部１６Ｂに沿って湾曲した下流側面１８Ｂを有している。下流側面１８Ｂの下端縁がカバー部材１７の略二等辺三角形状の底辺に相当する部分の縁部に沿っている。
【００１９】
障壁部１８は下流側面１８Ｂに上下方向に延びた３個の平板状のガイド片１９を有している。下流側面１８Ｂの左右中央部に設けられた中央ガイド片１９Ａは略鉛直下方に延びている。中央ガイド片１９Ａの左右夫々に設けられた左右ガイド片１９Ｂは下方に向けて左右外側に向けて傾斜するように延びている。中央ガイド片１９Ａ及び左右ガイド片１９Ｂの前端面は側壁部１６の垂下部１６Ｂの内面に当接している。中央ガイド片１９Ａ及び左右ガイド片１９Ｂは吐水口１２の全体から洗浄水が流出するように洗浄水を案内する。
【００２０】
このような構成を有する小便器用スプレッダーは、流入口１１から流入した洗浄水が、吐水本体部１５が構成する導水路１３を通過しようとすると、その一部が障壁部１８の上流側面１８Ａに衝突して上方に流れる。つまり、この小便器用スプレッダーは、吐水本体部１５において、洗浄水が障壁部１８に衝突することによって吐水口１２方向とは違う方向に流れるため、吐水口１２から流出する洗浄水の勢いを弱めることができる。よって、この小便器用スプレッダーは吐水口１２から流出する洗浄水の空気の巻き込みを抑制することができる。
【００２１】
したがって、実施例１の小便器用スプレッダーは飛沫や異音の発生を抑制することができる。
【００２２】
また、この小便器用スプレッダーは、図１に示すように、吐水本体部１５において、洗浄を終了した後に障壁部１８の上流側に洗浄水が貯留される。つまり、障壁部１８が貯留部Ｘの一部を構成している。このため、洗浄を終了した後に吐水口１２から小便器１内に垂れ落ちる洗浄水の水量を少なくし、水切れを良好にすることができる。
【００２３】
＜実施例２＞
実施例２の小便器用スプレッダーは、図４及び図５に示すように、流入口２１、吐水口２２、及び導水路２３を備えている。流入口２１は、上流側の給水管の下流端部が連結され、洗浄水が流入する。吐水口２２は小便器の便鉢面に向けて洗浄水を流出する。導水路２３は流入口２１と吐水口２２とを連通している。導水路２３は流入口２１に連続した流入管部２４が上流側を構成している。また、導水路２３は、流入管部２４の下流端部に連続し、吐水口２２を有した吐水本体部２５が下流側を構成している。
【００２４】
流入管部２４は円筒状である。流入管部２４は、中間位置から吐水本体部２５側の外周面に螺子山２４Ａが刻まれている。流入管部２４は先端部の外周面に前端方向に縮径した２個の凸部２４Ｂが形成されている。流入管部２４は、先端部が上流側の給水管３に挿通され、これら凸部２４Ｂが給水管３の内周面に係止した状態で連結される。
【００２５】
吐水本体部２５は、流入管部２４の下流端部に連続した外形が略直方体形状の筒部２６と、筒部２６に連続し、前面が開口した本体部２０と、本体部２０に取り付けられ、本体部２０の開口を塞ぐカバー部材２７とによって構成されている。本体部２０は、背面部２０Ａ、側面部２０Ｂ、及び障壁部２８を有している。背面部２０Ａは、筒部２６の下流端に連続して外側に拡がった平板状であり、後面が便鉢面に当接した状態で小便器用スプレッダーが小便器１に取り付けられる。背面部２０Ａは、上端縁が直線状に左右に延びており、上端縁の左右端から下方に延びた左右側縁及び下端縁がＵ字形状である。側面部２０Ｂは背面部２０Ａの外周縁から前方に延びている。側面部２０Ｂは、湾曲して下方向を向いた部分にスリット状の開口が３個、直列状態に形成されている。これら開口が吐水口２２を構成している。吐水口２２の３個の開口の境界部に２個の平板状のガイド片２９が形成されている。これらガイド片２９は障壁部２８の前面に延びている。ガイド片２９は吐水口２２の全体から洗浄水が流出するように洗浄水を案内する。
【００２６】
障壁部２８は、背面部２０Ａに開口している筒部２６の第１内部流出口２６Ａの前方を覆う位置に配置されている。障壁部２８は左右側縁及び下端縁が側面部２０Ｂの前面に連結しており、上端縁が側面部２０Ｂとの間でスリット状に開口して第２内部流出口２８Ａを形成している。つまり、障壁部２８は導水路２３の内壁面から流路方向に対向するように立ち上がっている。カバー部材２７は、側面部２０Ｂの前端面及びガイド片２９の前端面に水密状に当接して、本体部２０の開口を塞いでいる。このように、小便器用スプレッダーは、流入口２１から流入した洗浄水が、流入管部２４、吐水本体部２５の筒部２６、第１内部流出口２６Ａ、第２内部流出口２８Ａ、及び障壁部２８とカバー部材２７との間を通過して吐水口２２から流出する。つまり、流入管部２４、吐水本体部２５の筒部２６、及び障壁部２８とカバー部材２７との間が導水路２３である。
【００２７】
この小便器用スプレッダーは、流入管部２４の先端から使用状態に設置した小便器の前後方向に貫通した四角形状の取付孔に挿通して、吐水本体部２５の筒部２６を取付孔に挿入する。この状態で流入管部２４の螺子山２４Ａにナットを締め付けて固定する。このようにして、この小便器用スプレッダーは便鉢面の上部に取り付けられる。
【００２８】
このような構成を有する小便器用スプレッダーは、流入口２１から流入した洗浄水が、筒部２６を通過して第１内部流出口２６Ａから流出すると、障壁部２８の後面に衝突して上方に向いて流れ、第２内部流出口２８Ａから流出する。第２内部流出口２８Ａから流出した洗浄水は、吐水本体部２５の上側の側面部２０Ｂの内面に衝突し、障壁部２８とカバー部材２７との間を流下し、吐水口２２から流出する。このように、この小便器用スプレッダーは、吐水本体部２５において、洗浄水が障壁部２８に衝突することによって吐水口方向とは違う方向に流れるため、吐水口２２から流出する洗浄水の勢いを弱めることができる。よって、この小便器用スプレッダーは吐水口２２から流出する洗浄水の空気の巻き込みを抑制することができる。
【００２９】
したがって、実施例２の小便器用スプレッダーも飛沫や異音の発生を抑制することができる。
【００３０】
また、この小便器用スプレッダーは、吐水本体部２５において、洗浄を終了した後に障壁部２８の上流側に洗浄水が貯留される。つまり、障壁部２８が貯留部Ｘの一部を構成している。このため、洗浄を終了した後に吐水口２２から小便器１内に垂れ落ちる洗浄水の水量を少なくし、水切れを良好にすることができる。
【００３１】
＜実施例３＞
実施例３の小便器用スプレッダーは、図６及び図７に示すように、吐水本体部３５の形態が実施例２と相違する。他の部分は実施例２と同様であり、同一の構成は同一の符号を付して詳細な説明を省略する。
【００３２】
吐水本体部３５は、流入管部２４の下流端部に連続した外形が略直方体形状であり、流入管部２４と同じ内径の貫通孔が貫通した筒部３６と、筒部３６に連続した本体部３０と、本体部３０に取り付けられたカバー部材３７とによって構成されている。本体部３０は、背面部３０Ａ、上板部３０Ｂ、半円筒部３０Ｃ、障壁部３８を有している。背面部３０Ａは、筒部３６の下流端に連続して外側に拡がった平板状であり、後面が便鉢面に当接した状態で小便器用スプレッダーが小便器に取り付けられる。背面部３０Ａは、上端縁が直線状に左右に延びており、上端縁の左右端から下方に延びた左右側縁及び下端縁がＵ字形状である。上板部３０Ｂは背面部３０Ａの上端縁の中央部から前方に延びている。
【００３３】
半円筒部３０Ｃは、背面部３０Ａの前面に連続して、背面部３０Ａに開口している内部流出口３６Ａの内径と略等しい内径を有した半円筒形状であり、上方に開口している。半円筒部３０Ｃは外周面に軸方向に延びる３個の平板状のガイド片３９が等間隔に並列状態で形成されている。ガイド片３９はカバー部材３７の内周面に向けて延びている。障壁部３８は半円筒部３０Ｃの先端部を閉鎖するように形成されている。つまり、障壁部３８は導水路３３を構成する半円筒部３０Ｃの内壁面から流路方向に対向するように立ち上がっている。
【００３４】
カバー部材３７は先端部が閉鎖された筒状である。カバー部材３７は、半円筒部３０Ｃを収納するように、開口した端部を背面部３０Ａに連結している。カバー部材３７は、上面部３７Ａが平面状であり、その先端部の外縁が円弧状に形成されている。カバー部材３７の上面部３７Ａは、上面が本体部３０の上板部３０Ｂの上面と同一面に形成され、上板部３０Ｂの外周面とその下面に水密状に連結している。また、カバー部材３７は、開口した端部の下部が背面部３０Ａとの間にスリット状の開口を形成している。この開口が吐水口３２を構成している。カバー部材３７は、開口した端部の上部が背面部３０Ａの前面に水密状に当接している。この小便器用スプレッダーは、流入口３１から流入した洗浄水が、流入管部２４、吐水本体部３５の筒部３６、内部流出口３６Ａ、半円筒部３０Ｃ、カバー部材３７の先端内部、及び半円筒部３０Ｃの下面とカバー部材３７との間を通過して吐水口３２から流出する。つまり、流入管部２４、吐水本体部３５の筒部３６、半円筒部３０Ｃ、カバー部材３７、及び半円筒部３０Ｃの下面とカバー部材３７との間が導水路３３である。
【００３５】
このような構成を有する小便器用スプレッダーは、流入口３１から流入した洗浄水が、筒部３６を通過して内部流出口３６Ａから流出し、その一部が半円筒部３０Ｃを通過すると、半円筒部３０Ｃの先端部を閉鎖するように形成された障壁部３８に衝突して上方に流れる。障壁部３８に衝突して上方に流れる洗浄水と内部流出口３６Ａから流出した方向（カバー部材３７の先端方向）に流れる洗浄水とが合流して、カバー部材３７の先端部を折り返して、半円筒部３０Ｃの下面とカバー部材３７との間を通過して吐水口３２から流出する。このように、この小便器用スプレッダーは、吐水本体部２５において、洗浄水が障壁部３８に衝突することによって吐水口方向とは違う方向に流れるため、吐水口３２から流出する洗浄水の勢いを弱めることができる。よって、この小便器用スプレッダーは吐水口３２から流出する洗浄水の空気の巻き込みを抑制することができる。
【００３６】
したがって、実施例３の小便器用スプレッダーも飛沫や異音の発生を抑制することができる。
【００３７】
また、この小便器用スプレッダーは、吐水本体部３５において、洗浄を終了した後に障壁部３８の上流側の半円筒部３０Ｃ及び筒部３６等に洗浄水が貯留される。つまり、障壁部３８が貯留部Ｘの一部を構成している。このため、洗浄を終了した後に吐水口３２から小便器内に垂れ落ちる洗浄水の水量を少なくし、水切れを良好にすることができる。
【００３８】
＜実施例４＞
実施例４の小便器用スプレッダーは、図８及び図９に示すように、障壁部４８の形態が実施例１と相違する。他の部分は実施例１と同様であり、同一の構成は同一の符号を付して詳細な説明を省略する。
【００３９】
吐水本体部４５は、側壁部１６の垂下部１６Ｂの内面の左右中央部から流入管部１４の下流端部の開口の近傍に向けて延びた障壁部４８を有している。障壁部４８の先端部は流入管部１４から吐水本体部４５内に流入する洗浄水が直接衝突する位置まで延びている。障壁部４８は、使用状態に設置した小便器に小便器用スプレッダーを取り付けた状態で、左右中央部に向けて下方に湾曲した中央壁部４８Ａと、この中央壁部４８Ａの両側から斜め下方外側に向けて傾斜した左右壁部４８Ｂを有している。また、障壁部４８は、中央壁部４８Ａの左右中央下面に、側壁部１６の垂下部１６Ｂの内面から障壁部４８の先端部まで延びた一条の補強用リブ４８Ｃが形成されている。
【００４０】
障壁部４８の左右壁部４８Ｂの下端面と補強用リブ４８Ｃの下端面は、吐水本体部４５の側壁部１６に取り付けられたカバー部材４７の内側面に当接している。これによって、障壁部４８の中央壁部４８Ａとカバー部材４７との間であって、左右壁部４８Ｂの夫々と補強用リブ４８Ｃとの間に２本の内部導水路４３が形成される。また、障壁部４８の先端部とカバー部材４７とによって、２本の内部導水路４３の上流側に内部流入口４１が形成される。このため、内部流入口４１から流入した洗浄水は、内部導水路４３を通過して、吐水口１２の左右中央部から流出する。
【００４１】
吐水本体部４５は、側壁部１６の垂下部１６Ｂの左右両端部の夫々の内面から流入管部１４方向に延びたリブ４９を有している。これらリブ４９は、流入口１１から導水路１３に流入した洗浄水の内、内部流入口４１から内部導水路４３に流入した洗浄水以外の洗浄水を吐水口１２の左右両端部に案内する。
【００４２】
このような構成を有する小便器用スプレッダーは、流入口１１から流入した洗浄水が、吐水本体部４５が構成する導水路１３を通過しようとすると、その一部が障壁部４８の先端部に衝突して吐水口方向とは違う方向に流れる。そして、障壁部４８の先端部に衝突した洗浄水と他の洗浄水とが合流する。合流した洗浄水の一部が内部流入口４１から内部導水路４３を通過して吐水口１２の中央部から流出し、他の洗浄水は内部導水路４３を通過せずに、吐水口１２の左右両端部から流出する。このため、この小便器用スプレッダーは、吐水本体部４５において、洗浄水が障壁部４８に衝突することによって吐水口方向とは違う方向に流れるため、吐水口１２から流出する洗浄水の勢いを弱めることができる。よって、この小便器用スプレッダーは吐水口１２から流出する洗浄水の空気の巻き込みを抑制することができる。
【００４３】
したがって、実施例４の小便器用スプレッダーも飛沫や異音の発生を抑制することができる。
【００４４】
本発明は上記記述及び図面によって説明した実施例１〜４に限定されるものではなく、例えば次のような実施例も本発明の技術的範囲に含まれる。
（１）実施例１〜４では、障壁部をカバー部材又は本体部と一体に形成したが、障壁部を別部材によって形成してもよい。
（２）実施例１〜４では、吐水口がスリット状であったが、スリット状でなくてもよい。
（３）実施例１〜３では、障壁部が一部を構成する貯留部を有していたが、貯留部を有さなくてもよい。
【符号の説明】
【００４５】
１…小便器
２…便鉢面
１１、２１、３１…流入口
１２、２２、３２…吐水口
１３、２３、３３…導水路
１８、２８、３８、４８…障壁部
Ｘ…貯留部
【図１】
2015071901.tif 000003
【図２】
2015071901.tif 000004
【図３】
2015071901.tif 000005
【図４】
2015071901.tif 000006
【図５】
2015071901.tif 000007
【図６】
2015071901.tif 000008
【図７】
2015071901.tif 000009
【図８】
2015071901.tif 000010
【図９】
2015071901.tif 000011